(57)【要約】      （修正有）【課題】植物栽培用紐巻き器において、誘引紐の固定の際にリールに直接荷重がかかることを防止し、長期間の使用においても誘引紐の繰り出しおよび固定を安定的に行うことを可能とする。【解決手段】誘引紐Ｒが挿通される挿通孔１５を有する本体２と、本体に回転自在に支持されるリールと、挿通孔に対して一方側から挿入され、当該挿通孔内で進退移動可能に設けられた紐固定部材２２とを備えた植物栽培用紐巻き器１において、誘引紐が、通孔に他方側から挿入され紐固定部材の後退側に掛け渡された状態で、当該挿通孔の他方側から引き出され、紐固定部材が、その前進移動の際に、挿通孔との間に誘引紐を挟持することによって当該誘引紐を固定する一方、その後退移動の際に、当該固定を解除する構成とする。【選択図】図７
2011024546.tif 000002
【特許請求の範囲】
【請求項１】
植物の誘引に供される誘引紐を繰り出す植物栽培用紐巻き器であって、
前記誘引紐が挿通される挿通孔を有する本体と、
前記本体に回転自在に支持され、前記誘引紐が巻回されるリールと、
前記挿通孔に対して一方側から挿入され、当該挿通孔内で進退移動可能に設けられた紐固定部材と
を備え、
前記リールに巻回された誘引紐は、前記挿通孔に他方側から挿入されて前記紐固定部材の後退側に掛け渡された状態で、当該挿通孔の他方側から引き出され、
前記紐固定部材は、その前進移動の際に、前記挿通孔との間に前記誘引紐を挟持することによって当該誘引紐を固定する一方、その後退移動の際に、当該固定を解除することを特徴とする植物栽培用紐巻き器。
【請求項２】
前記本体に対して連結部を介して揺動自在に連結された揺動体を更に備え、
前記揺動体には、前記紐固定部材と、その揺動の操作に供される操作レバーとが形成されたことを特徴とする、請求項１に記載の植物栽培用紐巻き器。
【請求項３】
前記挿通孔を画成する壁には、前記一方側から他方側に向けて当該挿通孔の幅を縮小するように傾斜する傾斜面が形成されていることを特徴とする、請求項１または請求項２に記載の植物栽培用紐巻き器。
【請求項４】
前記本体は、少なくとも前記誘引紐が繰り出される部位を除き、前記リールの外周を覆うリールカバーを有することを特徴とする、請求項１から請求項３のいずれかに記載の植物栽培用紐巻き器。
【発明の詳細な説明】
【技術分野】
【０００１】
本発明は、植物を栽培する際に、ハウスの天井等に張り渡したワイヤなどに移動自在に支持されて、植物の誘引に供される誘引紐を繰り出す植物栽培用紐巻き器に関する。
【０００２】
トマトやキュウリなどの野菜では、その生長にともなって自重で地面に垂れ下がるのを防止するために、その茎や幹などを誘引紐によって吊り下げる栽培方式が普及している。
【０００３】
そのような誘引紐の取り扱い（長さ調節等）を容易とするための植物栽培用紐巻き器が開発されており、例えば、ハウスの天井等に張り渡したワイヤなどに懸ける吊下げフックを有する本体と、この本体に支持され、誘引紐が巻回されるリールと、このリールの鍔に円周方向に設けられた係合部と、本体に揺動可能に保持され、一端に上記係合部と係合してリールの回転を規制する係止部を備えた操作レバーと、操作レバーの係止部をリールの鍔の係合部に係合させる方向に付勢するための付勢バネとを有する植物栽培用紐巻き器が知られている（特許文献１参照）。これによれば、操作レバーの１回の操作によって、リールを所定量回転させて誘引紐を一定長さだけ繰り出すことが可能となる。
【先行技術文献】
【特許文献】
【０００４】
【特許文献１】特開２００１−１４５４２７号公報
【発明の概要】
【発明が解決しようとする課題】
【０００５】
しかしながら、上記特許文献１に記載された従来の植物栽培用紐巻き器は、植物を吊り下げる誘引紐の荷重がリールの係合部と操作レバーの係止部とに直接作用する構成であるため、リールの係合部や操作レバーの係止部に変形等が生じ易く、リールの安定した回転が阻害されたり、誘引紐の固定機能が低下したりするという課題があった。また、従来の植物栽培用紐巻き器は、誘引紐の繰り出しまたは巻き取りの際に、誘引紐が絡まることを防止するための構成を有していないという課題もあった。さらに、従来の植物栽培用紐巻き器では、リールの鍔に係合部を設ける構成であるため、リールにおける誘引紐の巻き代が制限されるという課題もあった。
【０００６】
本発明は、このような従来技術の課題を鑑みて案出されたものであり、誘引紐の固定の際にリールに直接荷重がかかることを防止し、長期間の使用においても誘引紐の繰り出しおよび固定を安定的に行うことを可能とした植物栽培用紐巻き器を提供することを主目的とする。
【課題を解決するための手段】
【０００７】
上記課題を解決するためになされた第１の発明は、植物の誘引に供される誘引紐を繰り出す植物栽培用紐巻き器であって、前記誘引紐が挿通される挿通孔を有する本体と、前記本体に回転自在に支持され、前記誘引紐が巻回されるリールと、前記挿通孔に対して一方側から挿入され、当該挿通孔内で進退移動可能に設けられた紐固定部材とを備え、前記リールに巻回された誘引紐は、前記挿通孔に他方側から挿入されて前記紐固定部材の後退側に掛け渡された状態で、当該挿通孔の他方側から引き出され、前記紐固定部材は、その前進移動の際に、前記挿通孔との間に前記誘引紐を挟持することによって当該誘引紐を固定する一方、その後退移動の際に、当該固定を解除する構成とする。
【０００８】
また、第２の発明として、前記本体に対して連結部を介して揺動自在に連結された揺動体を更に備え、前記揺動体には、前記紐固定部材と、その揺動の操作に供される操作レバーとが形成された構成とすることができる。
【０００９】
また、第３の発明として、前記挿通孔を画成する壁には、前記一方側から他方側に向けて当該挿通孔の幅を縮小するように傾斜する傾斜面が形成されている構成とすることができる。
【００１０】
また、第４の発明として、前記本体は、少なくとも前記誘引紐が繰り出される部位を除き、前記リールの外周を覆うリールカバーを有する構成とすることができる。
【発明の効果】
【００１１】
上記第１の発明によれば、本体における挿通孔と紐固定部材との間に誘引紐を挟持することによって誘引紐を固定（すなわち、誘引紐の繰り出しを規制）する構成としたため、誘引紐の固定の際にリールに直接荷重がかかることを防止し、長期間の使用においても誘引紐の繰り出しおよび固定を安定的に行うことが可能となるという優れた効果を奏する。この場合、誘引紐は、挿通孔に他方側（すなわち、固定部材の前進側）から挿入されて紐固定部材の後退側に掛け渡された状態で、当該挿通孔の他方側から引き出される構成であるため、誘引紐に対する植物の荷重が紐固定部材を後退側から前進側（すなわち、誘引紐を挟持する側）へ押圧するように作用し、誘引紐の固定状態を強固かつ安定的に保持することが可能となる。
また、上記第２の発明によれば、作業者は操作レバーの操作によって誘引紐の繰り出しおよび固定を容易に行うことが可能となる。
また、上記第３の発明によれば、誘引紐の繰り出しまたは巻き取りを円滑に行うことが可能となるとともに、誘引紐の破断等を防止する効果が得られる。
また、上記第４の発明によれば、誘引紐の繰り出しまたは巻き取りの際に、緩んだ誘引紐のリール外周から外側への食み出しがリールカバーによって規制されるため、リールに巻回された誘引紐が絡まることを防止可能となる。
【図面の簡単な説明】
【００１２】
【図１】第１実施形態に係る植物栽培用紐巻き器を正面側から見た斜視図である。
【図２】第１実施形態に係る植物栽培用紐巻き器を背面側から見た斜視図である。
【図３】第１実施形態に係る植物栽培用紐巻き器の部分断面図である。
【図４】第１実施形態に係る植物栽培用紐巻き器の左側面図である。
【図５】第１実施形態に係る植物栽培用紐巻き器の底面図である。
【図６】第１実施形態に係る植物栽培用紐巻き器の一動作（誘引紐の固定動作）を示す模式図である。
【図７】第１実施形態に係る植物栽培用紐巻き器の一動作（誘引紐の固定解除動作）を示す模式図である。
【図８】第１実施形態に係る植物栽培用紐巻き器の使用例を示す模式図である。
【図９】第２実施形態に係る植物栽培用紐巻き器の背面図である。
【図１０】第３実施形態に係る植物栽培用紐巻き器を正面側から見た斜視図である。
【図１１】第３実施形態に係る植物栽培用紐巻き器を背面側から見た斜視図である。
【図１２】第３実施形態に係る植物栽培用紐巻き器におけるフック周辺の拡大図である。
【図１３】第３実施形態に係る植物栽培用紐巻き器の底面図である。
【図１４】図６に示す植物栽培用紐巻き器の誘引紐の繰り出し形態の変形例を示す図である。
【図１５】図６に示す植物栽培用紐巻き器の誘引紐の固定形態の変形例を示す図である。
【発明を実施するための形態】
【００１３】
＜第１実施形態＞
以下、図１〜図５を参照しながら、本発明の第１実施形態に係る植物栽培用紐巻き器の構成について説明する。説明にあたり、植物栽培用紐巻き器（以下、紐巻き器と略称する。）およびその構成要素の方向については、図３に示す紐巻き器１にしたがって「上」、「下」、「前（紙面手前）」、「後（紙面奥）」、「左」、「右」を定めるものとする。
【００１４】
紐巻き器１は、ハウスの天井に張り渡した移動ガイド部材（本実施形態では、図８中のワイヤＷ）に移動自在に支持され、植物（本実施形態では、図８中のトマトＴ）の誘引に供される誘引紐Ｒ（図６〜図８参照）を必要な長さだけ繰り出して固定するものである。紐巻き器１は、図２に示すように、本体２と、この本体２に対して近接または離反する方向に揺動自在に連結された揺動体３と、本体２に回転自在に支持されたリール４とを主として備える。リール４は、合成樹脂製の部材からなり、誘引紐Ｒが巻回される円筒部５の両端に円板部６が形成されている。また、リール４を除く紐巻き器１の各構成要素は、合成樹脂によって一体成形されている。
【００１５】
本体２の上端は左下方に湾曲して逆Ｊ字状を呈しており、これにより、本体２上部には吊り下げ用のフック９が形成されている。フック９は、図３に示すように、上下方向に延在する直線部６０と、この直線部６０の下端から揺動体３側に傾斜する傾斜部６１とからなる掛止溝６２を画成する。傾斜部６１には、ワイヤＷの抜け止め用の規制片６３が、掛止溝６２の開口端付近を縮幅するように突設されている。また、本体２の右側における上下方向の中間部には、リールカバー１０およびリール支持板１１が形成されている。リールカバー１０は、リール支持板１１の後面から後方に向けて突設されるとともに、リール４の円板部６の外周縁と同一の曲率をもってリール４の外周の一部（ここでは、リール４の左側）を覆うように配置されている。リール支持板１１の中央には、リール保持軸１３が後方に向けて突設されている。図５に示すように、リール保持軸１３の先端には一対の係止爪１４，１４が形成されている。これにより、リール保持軸１３がリール４の円筒部５の開口５ａ（図２参照）に挿入されると、リール４の円筒部５の端縁が係止爪１４，１４によって係止される。さらに、本体２の上下方向の下部には、図３に示すように、左右方向に開口する誘引紐Ｒ用の挿通孔１５が形成されている。挿通孔１５を画成する壁の上下には、右側から左側に向けて挿通孔１５の上下幅を縮小するように傾斜する傾斜面１６，１７が形成さている。
【００１６】
揺動体３は、可撓性を有するヒンジ部２０を介して、リール支持板１１の略下端に相当する位置で本体２の右側部に連結されている。揺動体３において、ヒンジ部２０よりも上側に位置する揺動体上部は、本体２から徐々に離間されるように斜めに延設された操作レバー２１を構成する。また、ヒンジ部２０よりも下側に位置する揺動体下部には、本体２の左側から挿通孔１５に挿入される紐固定部材２２が突設されている。
【００１７】
揺動体下部は、操作レバー２１を右方向に変位させる力を揺動体３が受けると、図３に示す状態（初期状態）から、弾性変形するヒンジ部２０を支点として時計回り方向に回動する一方、その力が解除されると、ヒンジ部２０の弾性回復力により反時計回り方向に回動して再び元の状態に戻る。このような揺動体３の揺動に伴って、紐固定部材２２は挿通孔１５内で進退移動（すなわち、右または左方向に移動）することが可能である。紐固定部材２２の右側の先端部は、面取りがなされて先細り状を呈している。また、図１，図４に示すように、紐固定部材２２の前壁２２ａは左方向（すなわち、挿通孔１５と離反する方向）に延設されており、これにより紐固定部材２２の左側（後退側）における揺動体下部本体と前壁２２ａとの間には、誘引紐Ｒを巻き掛けるための溝３１が形成されている。また、図３に示すように、紐固定部材２２は、その左側の後端部が挿通孔１５よりも大きな上下幅を有するように拡幅されており、これにより、段差部２２ｂが形成されている。
【００１８】
次に、上記構成の紐巻き器１の動作について図６〜図８を参照して説明する。
【００１９】
図６に示すように、リール４（図２参照）に巻回された誘引紐Ｒは、リール４の右下方から斜め下左方に繰り出されて、本体２の挿通孔１５に対して右側上部から傾斜面１６に沿って挿入され、さらに紐固定部材２２の溝３１（図１，図４参照）の上端から下端に掛け渡された状態で、この挿通孔１５の右側下部から傾斜面１７に沿って再び引き出される。誘引紐Ｒは、リール４が図２に示した矢印ａの方向（正方向）に回転する際に繰り出され、リール４が矢印ｂの方向（逆方向）に回転する際に巻き取られる。
【００２０】
この場合、図６に示す状態とは逆向きにリール４に対して誘引紐Ｒを巻回することも可能である。このとき、リール４に逆向きに巻回された誘引紐Ｒは、図１４に示すように、リール４の下方から本体２の右壁に沿って真下に繰り出されて、その後は、図６の場合と同様に、本体２の挿通孔１５に対して右側上部から傾斜面１６に沿って挿入される。
【００２１】
また、図６において、誘引紐Ｒが、紐固定部材２２の全周に巻き掛けられた後に、挿通孔１５から引き出される構成も可能である。例えば、誘引紐Ｒが紐固定部材２２の全周に１回だけ巻き掛けられる場合、図１５に示すように、図６の場合と同様にして傾斜面１７に沿って再び引き出された後の誘引紐Ｒは、紐固定部材２２の右側の先端部の下端から上端に掛け渡され、再び本体２の挿通孔１５に対して挿入される。その後、誘引紐Ｒは、図６の場合と同様に、再び紐固定部材２２の溝３１に掛け渡された後に、挿通孔１５から引き出されることになる。このような構成により、紐固定部材２２による誘引紐Ｒの固定強度が向上する。なお、紐固定部材２２の全周に対する誘引紐Ｒの巻き掛け回数を更に増やす場合にも、同様の要領で行うことができる。
【００２２】
図６において、誘引紐Ｒの先端側にかかるトマトの荷重（すなわち、誘引紐Ｒの先端側を下方に引っ張る力）は、溝３１に掛け渡された紐固定部材２２の部位において、紐固定部材２２を右方へ押圧するように作用する。これにより、紐固定部材２２がヒンジ部２０を支点として矢印ｄの方向にそれぞれ回動するとともに、操作レバー２１が矢印ｃの方向にそれぞれ回動する。このとき、紐固定部材２２の前進（右方向への移動）により、挿通孔１５内の誘引紐Ｒは、挿通孔１５を画成する上下壁との紐固定部材２２の上下壁との間、ならびに紐固定部材２２の段差部２２ｂと挿通孔１５の端縁との間に挟持されて強固に固定される。
【００２３】
一方、上記のような誘引紐Ｒの固定を解除する場合には、作業者は、操作レバー２１を本体２上部と一緒に握るようにして操作し、図７（Ａ）に示すように、操作レバー２１を矢印ｅの方向に変位させる。これにより、図７（Ｂ）に示すように、紐固定部材２２は、挿通孔１５から抜け出すようにヒンジ部２０を支点として矢印ｆの方向に回動（後退）する。その結果、誘引紐Ｒは、紐固定部材２２による固定が解除され、リール４から円滑に繰り出される。なお、本体２の左側部には矢印ｅの方向に変位した操作レバー２１と当接する当接片４１が形成されており、これにより、操作レバー２１の回動範囲が適切に規制される。
【００２４】
図８に示すように、誘引紐Ｒの先端側は、トマトＴの茎や幹等に対してクランプＣによって固定される。図８（Ａ）〜（Ｄ）は、トマトＴが生長する様子を示しており、トマトＴの茎や幹等が伸びるのに伴って、作業者は、紐巻き器１をワイヤＷに沿って一方向に移動させるとともに、誘引紐Ｒの長さを調節することができる。この誘引紐Ｒの長さ調節の際には、作業者は、上述のような操作レバー２１を握るという単純な操作によって誘引紐Ｒを繰り出す一方、リール４を図２中の矢印ｂの方向に手動操作により回転させることにより、誘引紐Ｒを巻き取ることが可能である。
【００２５】
上記構成の紐巻き器１では、本体２における挿通孔１５と紐固定部材２２との間に誘引紐Ｒを挟持することによって誘引紐Ｒを固定する構成としたため、誘引紐Ｒの固定の際にリール４に直接荷重がかかることはなく、長期間の使用においても誘引紐Ｒの繰り出しおよび固定を安定的に行うことが可能となる。
【００２６】
また、誘引紐Ｒは、挿通孔１５に右側から挿入されて紐固定部材２２の後退側に掛け渡された状態で、当該挿通孔１５の右側から引き出される構成であるため、誘引紐Ｒに対するトマトＴの荷重が紐固定部材２２を後退側から前進側（すなわち、誘引紐Ｒを挟持する側）へ押圧するように作用して、誘引紐Ｒの固定状態を強固かつ安定的に保持することが可能となる。また、リール４の円板部６には、係合溝等を形成する必要がないため、リール４における誘引紐Ｒの巻き代が制約を受けることがないという利点もある。
【００２７】
また、上記構成の紐巻き器１では、本体２の挿通孔１５を画成する壁には、右側から左側に向けて挿通孔１５の上下幅を縮小するように傾斜する傾斜面１６，１７が形成され鋭角な部位が存在しないため、誘引紐Ｒの繰り出しが円滑に行われるとともに、誘引紐Ｒの破断等を防止する効果が得られる。  
【００２８】
また、上記構成の紐巻き器１では、少なくとも誘引紐Ｒが繰り出される部位を除き、リール４の外周を覆うリールカバー１０を有する構成としたため、誘引紐Ｒの繰り出しまたは巻き取りの際に、緩んだ誘引紐Ｒがリール４の外周から延出することが規制され、リール４に巻回された誘引紐Ｒが絡まることを防止することができる。
【００２９】
また、上記構成の紐巻き器１では、リール４が正方向に回転する際には、誘引紐Ｒを円滑に繰り出すとともに、紐固定部材２２の前進移動によって誘引紐Ｒを固定することが可能である一方、作業者は、リール４を逆方向に回転させることにより、誘引紐Ｒの巻き取り作業を容易に行うことが可能となる。
【００３０】
＜第２実施形態＞
次に、図９を参照して、本発明の第２実施形態に係る紐巻き器の構成について説明する。図９では、上述の第１実施形態に係る紐巻き器１と同様の構成要素については同一の符号が付されている。また、第２実施形態において、第１実施形態の場合と同様の事項については詳細な説明を省略する。
【００３１】
この第２実施形態に係る紐巻き器１では、本体２と揺動体３との連結構造が第１実施形態の場合とは異なる。図９に示すように、本体２には、第１実施形態におけるヒンジ部２０の代わりに、軸孔５１ａが前後方向にそれぞれ開口した一対の連結片５１が形成されている。また、揺動体３には、本体２の連結片５１に対応する位置に、軸５２ａが前後方向に突設された連結片５２が形成されている。一対の連結片５１は所定の間隔をもって前後方向に並設されている。連結片５２は、一対の連結片５１の間に挟入され、その軸５２ａの両端部が各連結片５１の軸孔５１ａに回動可能に挿入されている。なお、本体２と揺動体３とは、連結片５１，５２の上方において、可撓性を有する接続部５３によって互いに連結されており、互いに合成樹脂によって一体成形することが可能である。
【００３２】
＜第３実施形態＞
次に、図１０〜図１３を参照して、本発明の第３実施形態に係る紐巻き器の構成について説明する。図１０〜図１３では、上述の第１実施形態に係る紐巻き器１と同様の構成要素については同一の符号が付されいる。また、第３実施形態において、第１実施形態の場合と同様の事項については詳細な説明を省略する。
【００３３】
この第３実施形態に係る紐巻き器１において、フック９は、図１２に示すように、掛止溝６２の直線部６０を画成する基端側に湾曲部９ａが形成されるともに、直線部６０の幅がその頂部をなす円弧部６０ａから下方（傾斜部６１側）に向けて連続的に拡大された構成を有する。また、円弧部６０ａの径はワイヤＷの径よりも僅かに小さく設定されている。このような構成により、使用者は、ワイヤＷに対するフック９の取り付けおよび取り外しが容易となると共に、掛止溝６２内のワイヤＷは、常に円弧部６０ａに収まる方向にガイドされて安定的に保持される。また、円弧部６０ａの径がワイヤＷの径よりも僅かに小さく設定されたことにより、ワイヤＷに対する円弧部６０ａの周縁の密着性が高くなると共に接触領域も大きくなり、ワイヤＷと円弧部６０ａと間の摩擦力が増大してワイヤＷをより強固に固定できるという利点もある。さらに、掛止溝６２の直線部６０の幅がテーパ状に拡大されたことにより、ワイヤＷよりもやや大径のワイヤを使用する場合でも掛止溝６２への挿入が可能であり、ワイヤ径に対する許容度が高いという利点もある。
【００３４】
また、図１３に示すように、リール保持軸１３の先端には所謂カヌークリップ形状の弾性係止部６５が設けられている。弾性係止部６５は、略Ｕ字状を呈しており、その両端を固定端とされる共に、両側方に突設された係止爪１４，１４により、リール４（図２参照）の円筒部５の端縁を係止する。このような構成により、リール保持軸１３に対するリール４の着脱が容易となる。
【００３５】
また、図１１に示すように、リールカバー１０は、リール支持板１１とは反対側の側縁に切欠き部１０ａが形成されて凹状を呈する。これにより、切欠き部１０ａからリール４の外周の一部が露出されるため、使用者は、誘引紐Ｒの繰り出し状態（あるいは、巻き取り状態）をリールカバー１０側から確認することができる。さらに、図１０に示すように、リール支持板１１の右側には、リール４の外径よりも小さい径を有する半円状の縮径部１１ａが形成されている。これにより、縮径部１１ａの外周側からリール４の前側の端面の一部が露出されるため、使用者は、誘引紐Ｒがリール４の円板部６を乗り越えてリール保持軸１３に巻かれてしまう等の不具合の発生を迅速に把握することができる。
【００３６】
本発明を特定の実施形態に基づいて詳細に説明したが、上記実施形態はあくまでも例示であって、本発明はこれらの実施形態によって限定されるものではない。例えば、紐巻き器における本体と揺動体との連結は、上述の形態に限らず、種々の変更が可能である。
【符号の説明】
【００３７】
１  植物栽培用紐巻き器
２  本体
３  揺動体
４  リール
９  フック
１０  リールカバー
１５  挿通孔
１６  傾斜面
２０  ヒンジ部（連結部）
２１  操作レバー
２２  紐固定部材
５１  連結片（連結部）
５２  連結片（連結部）
Ｃ  クランプ
Ｒ  誘引紐
Ｔ  トマト
Ｗ  ワイヤ
【図１】
2011024546.tif 000003
【図２】
2011024546.tif 000004
【図３】
2011024546.tif 000005
【図４】
2011024546.tif 000006
【図５】
2011024546.tif 000007
【図６】
2011024546.tif 000008
【図７】
2011024546.tif 000009
【図８】
2011024546.tif 000010
【図９】
2011024546.tif 000011
【図１０】
2011024546.tif 000012
【図１１】
2011024546.tif 000013
【図１２】
2011024546.tif 000014
【図１３】
2011024546.tif 000015
【図１４】
2011024546.tif 000016
【図１５】
2011024546.tif 000017